(57)【要約】【課題】通信受信部に対するノイズの影響を抑えた上で、筐体のコンパクト化が可能な電子棚札を提供する。【解決手段】通信受信部１５が制御基板５７の裏面５７ｂにおける右側の上部角部Ｒ２に配置される一方、コモンドライバ５８及びセグメントドライバ５９ａ，５９ｂが、左側の下部角部Ｌ１を挟む２辺上に配置されたＦＰＣ６０ａ〜６０ｃ上に配置されていることを特徴とする。【選択図】図１０
2010115230.tif 000002
【特許請求の範囲】
【請求項１】
商品の陳列棚に配置され、外部端末との無線通信により受信した前記商品の商品情報を表示する表示部を備えた電子棚札において、
平面視矩形状の筐体と、
筐体内に配置された制御ユニットとを備え、
前記制御ユニットは、前記外部端末から送信される前記商品の商品情報を受信する通信部と、
前記通信部で受信した前記商品情報に基づいて、前記表示部の駆動制御を行う駆動用回路素子とを備え、
前記通信部は、前記筐体内における第１角部に配置される一方、
前記駆動用回路素子は、前記筐体内における前記第１角部に対向する第２角部を挟む２辺のうち、少なくとも１辺上に配置されていることを特徴とする電子棚札。
【請求項２】
前記通信部と前記駆動用回路素子との間には、前記制御ユニット及び前記表示部を駆動させるための電源部が配置されていることを特徴とする請求項１記載の電子棚札。
【請求項３】
前記制御ユニットは、制御基板上に実装された電子素子を備え、
前記電子素子は、前記電源部を間に挟んで前記通信部の反対側に集積されていることを特徴とする請求項２記載の電子棚札。
【発明の詳細な説明】
【技術分野】
【０００１】
本発明は、電子棚札に関するものである。
【背景技術】
【０００２】
従来から、スーパマーケットやコンビニエンスストア等の商品の陳列棚において、商品の名称や価格等の商品情報を電子的に表示するための電子棚札が利用されている。この電子棚札は、平面視略矩形状の筐体を備え、この筐体内に、商品情報を管理する外部端末から送信された商品情報を受信するアンテナ（通信部）と、アンテナで受信した商品情報を表示する表示部と、表示部の駆動制御を行うドライバとが配置されている（例えば、特許文献１参照）。
【０００３】
そして、電子棚札は、外部端末との無線通信により、アンテナで受信した商品情報に基づいて表示部に商品情報を表示できるようになっている。これにより、表示部に表示する商品情報を容易に切り替えることができることになり、その利便性はますます高くなっている。
【特許文献１】特開２００７−２８９５０２号公報
【発明の開示】
【発明が解決しようとする課題】
【０００４】
ところで、上述した電子棚札では、ユーザに商品情報を認識させ易くするために表示部のサイズを大型化した上で、商品棚への配置する際のレイアウト性を考慮するために筐体の更なるコンパクト化を図るような要請がある。
しかしながら、電子棚札では、ドライバや各種電子素子から発せられる電磁波が、アンテナと外部端末との間で無線通信を行う際のノイズになり、アンテナの感度（Ｓ／Ｎ比）が低下して外部端末からの商品情報を正確に受信することが困難になる虞がある。
アンテナに対するノイズの影響を低減するためには、筐体内においてアンテナとドライバとは、一定の距離を離した状態で配置しなければならない。その結果、アンテナとドライバとの距離を確保するためには、筐体の大型化等に繋がるという問題がある。
【０００５】
そこで、本発明は、通信部に対するノイズの影響を抑えた上で、筐体のコンパクト化が可能な電子棚札を提供するものである。
【課題を解決するための手段】
【０００６】
上記の課題を解決するために、本発明は以下の手段を提供する。
本発明に係る電子棚札は、商品の陳列棚に配置され、外部端末との無線通信により受信した前記商品の商品情報を表示する表示部を備えた電子棚札において、平面視矩形状の筐体と、筐体内に配置された制御ユニットとを備え、前記制御ユニットは、前記外部端末から送信される前記商品の商品情報を受信する通信部と、前記通信部で受信した前記商品情報に基づいて、前記表示部の駆動制御を行う駆動用回路素子とを備え、前記通信部は、前記筐体内における第１角部に配置される一方、前記駆動用回路素子は、前記筐体内における前記第１角部に対向する第２角部を挟む２辺のうち、少なくとも１辺上に配置されていることを特徴としている。
【０００７】
この構成によれば、第２角部を挟む辺上に駆動用回路素子を配置することで、筐体内において通信部と駆動用回路素子とをできるだけ離れた位置に配置することができる。これにより、通信部が駆動用回路素子から発せられる電磁波の影響を受け難くなる。
したがって、従来のように通信部と駆動用回路素子との距離を確保するために、筐体を大型化したりする必要がないので、筐体のコンパクト化を図った上で、通信部に対するノイズの影響を抑制することができる。その結果、通信部の感度を維持して外部端末から送信される商品情報を高精度に受信することができる。
【０００８】
また、本発明に係る電子棚札は、前記通信部と前記駆動用回路素子との間には、前記制御ユニット及び前記表示部を駆動させるための電源部が配置されていることを特徴としている。
この構成によれば、駆動用回路素子から発せられた電磁波が、通信部に到達する前段で導電性材料である電源部を通過することになる。この時、電源部が電磁シールドとして機能し、電源部の表面での反射と内部での反射及び吸収とによって、通信部に到達する前に電磁波を遮蔽する。これにより、高いシールド効果を得ることができる。
【０００９】
また、本発明に係る電子棚札は、前記制御ユニットは、制御基板上に実装された電子素子を備え、前記電子素子は、前記電源部を間に挟んで前記通信部の反対側に集積されていることを特徴としている。
この構成によれば、制御ユニットの各種電子素子が、制御基板における電源部を間に挟んで通信部の反対側に集積されているため、通信部と各電子素子との間には、電源部が配置されることになる。これにより、電源部が電磁シールドとして機能することになり、電源部が各電子素子から発せられる電磁波を遮蔽して、高いシールド効果を得ることができる。
【発明の効果】
【００１０】
本発明に係る電子棚札によれば、第２角部を挟む辺上に駆動用回路素子を配置することで、筐体内において通信部と駆動用回路素子とをできるだけ離れた位置に配置することができる。これにより、通信部が駆動用回路素子から発せられる電磁波の影響を受け難くなる。
したがって、従来のように通信部と駆動用回路素子との距離を確保するために、筐体を大型化したりする必要がないので、筐体のコンパクト化を図った上で、通信部に対するノイズの影響を抑制することができる。その結果、通信部の感度を維持して外部端末から送信される商品情報を高精度に受信することができる。
【発明を実施するための最良の形態】
【００１１】
次に、本発明の実施形態を図面に基づいて説明する。
（電子棚札表示制御システム）
図１は本実施形態における電子棚札を有する棚札端末表示制御システムの構成を示す図である。
図１に示すように、符号１は棚札表示制御装置（外部端末）である。また２はサーバやＰＯＳ（Ｐｏｉｎｔ  ｏｆ  ｓａｌｅ）システム等の上位機器である。また３は店舗の店員などが利用するユーザ端末（携帯端末等）である。また４は棚札表示制御装置１の送信した商品情報（例えば、商品名、商品コード、価格等）を中継する中継器である。また５は、商品の陳列棚に配置され、中継器４によって中継された商品情報を表示する本発明における電子棚札である。そして、棚札表示制御装置１は通信ネットワークを介して上位機器２、ユーザ端末３、中継器４と通信接続されており、また中継器４と電子棚札５とが無線によって通信可能とされている。
【００１２】
棚札表示制御装置１は、店舗の棚に陳列される多数の商品の情報である商品情報それぞれと、多数の電子棚札５が備えるＩＤ情報とを対応させて、個々の電子棚札５に表示させる商品情報を記憶し、通信ネットワーク及び中継器４を介して電子棚札５との間で互いに情報通信を行う。そして、棚札表示制御装置１が記憶する商品情報は、上位機器２やユーザ端末３が備えるキーボードやタッチパネルなどの入力部からの入力により変更することが可能となっている。
【００１３】
なお、図１に示した棚札表示制御システムの例では、中継器４を介して棚札表示制御装置１と電子棚札５とが無線接続しているが、中継器４は必ずしも必要ではなく、棚札表示制御装置１と電子棚札５とをダイレクトに無線接続しても良い。
【００１４】
（電子棚札）
図２は電子棚札５の構成を示すブロック図である。
図２に示すように、電子棚札５は、中継器４から送信された商品情報を表示する表示部１２と、電子棚札５を統括的に制御する制御ユニット１３と、これら表示部１２や制御ユニット１３に電力を供給する電源部１１とで構成されている。
制御ユニット１３は、中継器４から送信された商品情報を受信する通信受信部（通信部）１５、商品情報の表示に関する各種処理を行う制御部１６、自身のＩＤ情報や、電子棚札５の実行するプログラムを記憶するプログラムメモリ１７、棚札表示制御装置１から送信された商品情報等を記憶するデータメモリ１８、及び制御部１６の処理結果に基づいて情報の表示に関する制御を行う表示制御部１９を備えている。
【００１５】
次に、電子棚札５の外観構成について説明する。図３は電子棚札５の平面図（正面図）であり、図４は背面図、図５は側面図である。また、図６はフロントケース２１を取り外した状態における電子棚札５の平面図（正面図）である。なお、図中ＵＰは上方、ＦＲは前方、ＬＨは前方から電子棚札５を見た場合における左方を示している。
図３〜７に示すように、上述した電源部１１、表示部１２、制御ユニット１３は、樹脂等からなる筐体２０内に搭載されている。筐体２０は、水平方向を長辺方向（左右方向）とする平面視長方形状のものであり、フロントケース２１とリアケース２２とで前後方向で分割構成されている。
【００１６】
まず図４〜６に示すように、リアケース２２は、平面視長方形状の底壁２３と、底壁２３の外周縁から底壁２３を取り囲むように立設された周壁２４とで構成された箱型形状のものである。そして、周壁２４で囲まれた内側は、上述した制御ユニット１３や表示部１２が収容される収容部２５（図６参照）を構成している。
【００１７】
図４に示すように、底壁２３の後面側の中央部には、収容部２５（図６参照）内に向けて凹設され、電池３０を保持可能な電池ホルダ３１（図４参照）が設けられている。この電池ホルダ３１は、平面視円形状のものであり、その直径が底壁２３の短辺方向（上下方向）の長さと略同等の長さに形成されている。本実施形態の電池３０は、ボタン型電池が好適に用いられており、電池３０の厚さ方向と電子棚札５の前後方向とを一致させた状態で、電池ホルダ３１内に収容保持されるようになっている。すなわち、電池３０が電池ホルダ３１内に収容保持された状態において、電池３０は底壁２３の中央部で上下方向の略全域に亘って配置されるとともに、底壁２３の左右方向の左側と右側とを遮るように配置される。
そして、リアケース２２の後面側には、電池ホルダ３１を閉塞するカバー（不図示）が装着されるようになっている。なお、本実施形態では、上述したように底壁２３の上下方向の長さと略同等の直径を有する比較的大型の電池３０を用いているため、電池３０の寿命は新型の電子棚札５への交換時期と同程度になっている。すなわち、電池３０は、電子棚札５の使用期間内において、寿命が切れて取り替えることがないようになっている。
【００１８】
電池ホルダ３１の底面３２には、厚さ方向に貫通する平面視矩形状の貫通孔３３が形成され、この貫通孔３３からは電池３０の底面（−電極）に接触可能な後述する−側端子３４が露出している。一方、電池ホルダ３１の側面３５には、上半部分の略半周に亘って切り欠かれた切欠き部（不図示）が形成され、この切欠き部から電池３０の側面（＋電極）に接触可能な後述する＋側端子３６が露出している。なお、これら電池ホルダ３１、電池３０、各端子３４，３６により、本実施形態の電源部１１（図２参照）が構成されている。
【００１９】
また、図６に示すように、リアケース２２の周壁２４における長辺部分の外周縁には、複数（例えば、４箇所）の取付片４０が形成されている。この取付片４０は、セール商品や販売促進商品等を認識させるためのカード形状のスポッターやＰＯＰケース（不図示）を、電子棚札５と別体として取り付けられるようになっており、これらスポッターやＰＯＰケースを取付片４０に形成された長孔４１に差し込むようになっている。
そして、周壁２４の開口縁（前端縁）には、周壁２４の外径が縮小するように外周面が切り欠かれた段差部４２が形成されている。
【００２０】
図７はフロントフレームの平面図（背面図）である。
図３，５，７に示すように、フロントケース２１は、リアケース２２と略同形状を有する平面視長方形状の底壁４５と、底壁４５の外周縁から底壁４５を取り囲むように立設された周壁４６とで構成され、リアケース２２を前方から覆うように配置されている。
フロントケース２１の周壁４６の開口縁には、内径が拡大するように内周面が切り欠かれた段差部４７が形成され、この段差部４７とリアケース２２の段差部４２とがインロー嵌合することにより、筐体２０が構成される。この際、フロントケース２１の開口縁が、リアケース２２の開口縁を外側から覆うようにして配置されている。
【００２１】
フロントケース２１の底壁４５には、前後方向に貫通する平面視長方形の開口部５０が形成されている。この開口部５０からは、筐体２０内に収容された表示部１２が露出され、表示部１２に表示された商品情報を視認できるようになっている。開口部５０は、その長辺方向が左右方向に一致した状態で形成され、開口部５０の対角線の交点は、底壁４５の対角線の交点から若干左上方寄りに形成されている。これにより、底壁４５の左右方向の面積は、開口部５０を挟んで左側よりも右側が大きく、また底壁４５の上下方向の面積は、開口部５０を挟んで上側よりも下側が大きくなっている。
【００２２】
底壁４５の後面側であって、開口部５０の左側には、その上下部分に底壁４５の厚さ方向に突出する複数（例えば、２箇所）の位置決め部５１が形成されている。一方、開口部５０の右側には、その上下部分に厚さ方向に突出する複数（例えば、２箇所）の位置決め部５２が形成されている。これら位置決め部５１，５２は、後述する表示部１２のフレーム５５の端面に当接して、フレーム５５の左右方向における位置決めを行うものである。
また、底壁４５における右側の下部角部Ｒ１には、底壁４５の厚さ方向に突出する突出部５３が形成されている。この突出部５３は、位置決め部５２を間に挟んで開口部５０の反対側に形成されており、制御ユニット１３の後述する制御基板５７の表面５７ａに当接して、制御基板５７の前後方向における位置決めを行うものである。
【００２３】
ここで、図６に示すように、リアケース２２の収容部２５内には、制御ユニット１３（制御基板５７）、フレーム５５、及び表示部１２が後部側から順次積層されるようにして配置されている。
表示部１２は、リアケース２２の左右方向における右側に若干間隙を有した状態で、収容部２５の略全域を覆うように配置された略長方形状のものであり、その表示面１２ａが上述した開口部５０（図３参照）から露出するようになっている。そして、表示部１２の下部及び左側には、コンタクト部（不図示）が形成され、このコンタクト部に表示部１２と制御基板５７とを電気的に接続するＦＰＣ（Ｆｌｅｘｉｂｌｅ  Ｐｒｉｎｔｅｄ  Ｃｉｒｃｕｉｔｓ）６０ａ〜６０ｃが設けられている。そして、ＦＰＣ６０ａ上にはコモンドライバ（駆動用回路素子）５８が実装され、ＦＰＣ６０ｂ，６０ｃ上にはセグメントドライバ５９ａ，５９ｂ（ともに図１０参照）が実装されている。なお、これらコモンドライバ５８及びセグメントドライバ（駆動用回路素子）５９ａ，５９ｂによって、上述した表示制御部１９が構成されている。
【００２４】
なお、本実施形態の表示部１２は、電池３０から供給された電力を用いて一旦表示した情報を、その後は電力供給無しに画面に表示し続ける表示素子で構成されており、例えば、コレステリック液晶等のメモリー液晶が好適に用いられている。コレステリック液晶は、電圧を加えなくとも半永久的に液晶分子の配向を維持することができ、これによりコレステリック液晶を用いた表示部１２は、電力を切ったとしても一旦表示された情報を保持することができる。これにより、表示部１２の消費電力の低減が可能となる。
【００２５】
図８は、フレーム５５の平面図である。
図６，８に示すように、表示部１２の後面側には、表示部１２を保持するフレーム５５が設けられている。フレーム５５は、上下方向に延びる縦フレーム６１と、縦フレーム６１の長さよりも長く形成され、左右方向に延びる横フレーム６２とがそれぞれ一対ずつ連結された矩形枠型のものであり、各フレーム６１，６２の外周部分からは側部フレーム６３が立設されている。
【００２６】
縦フレーム６１及び横フレーム６２は、表示部１２の後面の外周部分に当接して表示部１２を保持するものであり、表示部１２の左右方向及び上下方向と同等の長さに形成されている。これら縦フレーム６１及び横フレーム６２の左側の上下角部及び右側の下部角部には、厚さ方向に貫通するネジ孔６５が形成され、制御基板５７に形成された貫通孔（不図示）からネジ６６（図１０参照）を螺入してフレーム５５と制御基板５７とを締結固定するようになっている。
【００２７】
側部フレーム６３の下部には、側部フレーム６３の高さ方向に沿って切り欠かれた複数の切欠き部６７が形成されている。これら切欠き部６７は、表示部１２の下部に接続されたＦＰＣ６０ｂ，６０ｃを制御基板５７へ引き回すためのガイドの機能を有している。これにより、各ＦＰＣ６０ｂ，６０ｃが側部フレーム６３より前方に突出することがないので、筐体２０の大型化を防ぐことができる。
そして、横フレーム６２における切欠き部６７に対応する位置には、フレーム５５の内側（上方）に向かって延出する延出部６８が形成されている。この延出部６８は、ＦＰＣ６０ｂ，６０ｃとの間に上述したセグメントドライバ５９ａ，５９ｂを保持できるようになっている。
【００２８】
また、一対の側部フレーム６３の左右にも、それぞれ側部フレーム６３の高さ方向に沿って切り欠かれた切欠き部６９，７０が形成されている。側部フレーム６３の左側に形成された切欠き部６９は、表示部１２の左側に接続されたＦＰＣ６０ａを制御基板５７へ引き回すためのガイドの機能を有している。これにより、各ＦＰＣ６０ａが側部フレーム６３より前方に突出することがないので、筐体２０の大型化を防ぐことができる。
【００２９】
そして、側部フレーム６３の各角部における先端には、先端からそれぞれ内側に向けて突出した係合爪７１が形成されている。この係合爪７１は、表示部１２における表示面１２ａ側の外周縁に係合可能とされており、これにより、表示部１２が側部フレーム６３の内側に嵌まり込むようにして保持される。
【００３０】
図９は、制御基板５７を表面側から見た平面図である。図１０は表示部１２、フレーム５５及び制御基板５７が重ね合わされた状態で、制御基板５７を裏面側から見た平面図であり、図１１は側面図である。
図９〜１１に示すように、制御基板５７は、表示部１２の左右方向よりも長く形成された平面視長方形状の平板であり、上述した表示部１２と制御基板５７とは左側の端部同士を一致させた状態で重ね合わされている（図６参照）。すなわち、制御基板５７の右側の端部は、平面視で表示部１２の右側の端部から若干突出するようになっている（図６参照）。
【００３１】
図９，１１に示すように、制御基板５７の表面５７ａには、上述したデータメモリ１８やプログラムメモリ１７、制御部１６等の機能を有するＩＣチップ７５や、通信受信部１５の通信回路（制御部１６）等の機能を有するＩＣチップ７６が実装され、これらＩＣチップ７５，７６の周囲にはチップ抵抗等の各種電子素子が実装されている。
【００３２】
一方、図１０，１１に示すように、制御基板５７の裏面５７ｂには、その中央部に−側端子３４及び＋側端子３６が配置されている。これらの−側端子３４及び＋側端子３６には、表示部１２及び制御ユニット１３に電力を供給する電池３０が接触するようになっている。
−側端子３４は、平面視矩形のベース部８０と、ベース部８０の上下部分の外周部分から延出して制御基板５７の図示しない配線パターンにハンダ等により接続された一端側端末部８１と、ベース部８０から切り起こされた他端側端末部８２とで構成されている。他端側端末部８２は、厚さ方向に沿って撓み変形可能に構成されており、上述した電池ホルダ３１の貫通孔３３から露出して電池３０の−側電極（底面）に接触するようになっている。
また、＋側端子３６は、−側端子３４の上方を囲むように形成された平面視Ｖ字状のものであり、ベース部８４と、ベース部８４から前方に延出して制御基板５７の図示しない配線パターンにハンダ等により接続された一端側端末部（不図示）と、ベース部８４の左右両側から制御基板５７の面方向に沿って斜め下方に向けて延出する他端側端末部８５とで構成されている。そして、他端側端末部８５は、上述した電池ホルダ３１の切欠き部から露出して電池３０の＋側電極（側面）を取り囲むようにして接触するようになっている。
【００３３】
制御基板５７上における各端子３４，３６よりも左側には、制御ユニット１３を構成する昇圧コイル８７やチョークコイル８８、抵抗チップ等の各種電子素子が実装されている。昇圧コイル８７は、表示部１２に電圧を供給するために、電池３０から供給される電圧の増幅を行うためのものであり、チョークコイル８８は、所定周波数を上回る高周波電流が表示部１２に向けて流れること阻止するためのものである。このように、本実施形態では、制御基板５７上の左右方向において、右側よりも左側に各種電子素子が集中して実装されている。
【００３４】
ここで、図９〜１１に示すように、制御基板５７の表面５７ａであって、右側における上部角部Ｒ２には、上述した中継器４（図２参照）との間で無線通信を行う通信受信部（アンテナ）１５が実装されている。この通信受信部１５は、制御基板５７の表面５７ａにおける表示部１２から突出した領域に配置されており、制御基板５７の表面５７ａおいて平面視で表示部１２と重ならないようになっている。なお、本実施形態では、通信受信部１５と中継器４との無線通信を行う際の無線周波数は、例えば２．４ＧＨｚであり、無線通信の制御はＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）８０２．１５．４準拠のＩＣチップ（例えば、符号７６）を搭載して通信を行っている。なお、制御基板５７の表面５７ａには、ＩＣチップ７６の周囲を取り囲むように銅等からなるシールド膜７７が形成されている。
【００３５】
そして、制御基板５７における左側の上部角部Ｒ２の対角、すなわち右側の下部角部Ｌ１を挟む二辺（下部の長辺と左側の短辺）には、それぞれ略矩形の切欠き部９０ａ〜９０ｃ（図９参照）が形成されている。これら切欠き部９０ａ〜９０ｃは、ＦＰＣ６０ａ〜６０ｃを表示部１２から制御基板５７へ引き回す際に、上述したコモンドライバ５８及びセグメントドライバ５９ａ，５９ｂと制御基板５７との接触を避けるために形成されたものである。すなわち、コモンドライバ５８及びセグメントドライバ５９ａ，５９ｂは、それぞれ切欠き部９０ａ〜９０ｃの内側に配置されている。これにより、各ドライバ５８，５９ａ，５９ｂが制御基板５７の側方（面内方向）に向けて突出することがないので、筐体２０の大型化を防ぐことができる。
【００３６】
図９に示すように、制御基板５７の表面５７ａであって、左側の短辺に形成された切欠き部９０ａの先端側には、ＦＰＣ６０ａとの接続を行うためのコンタクト部９１が制御基板５７の上下方向に沿って形成されている。よって、ＦＰＣ６０ａは、一端が表示部１２の左側に接続された後、表示部１２と制御基板５７との間で折り返されるようにして引き回され、他端がコンタクト部９１に接続されている。この場合、コモンドライバ５８と通信受信部１５は、制御基板５７における長辺を挟んで対向するようにして配置されることになる。そして、通信受信部１５とコモンドライバ５８との間に、電池３０及び各端子３４，３６が配置されるようになっている。すなわち、通信受信部１５とコモンドライバ５８とを結ぶ全ての直線上に、電池３０または各端子３４，３６が介在するようになっている。
【００３７】
また、図１０に示すように、制御基板５７の裏面であって、下部の長辺に形成された切欠き部９０ｂ，９０ｃの先端側には、ＦＰＣ６０ｂ，６０ｃとの接続を行うためのコンタクト部（不図示）がそれぞれ制御基板５７の左右方向に沿って形成されている。よって、ＦＰＣ６０ｂ，６０ｃは、一端が表示部１２の下側に接続された後、表示部１２と制御基板５７を回り込むようにして引き回され、他端がそれぞれ各コンタクト部（不図示）に接続されている。この場合、セグメントドライバ５９ａ，５９ｂは、制御基板５７の下部の長辺上において、電池３０を両側から挟むように配置されるようになっている。そして、各セグメントドライバ５９ａ，５９ｂのうち、電池３０の左側に配置されたセグメントドライバ５９ａと通信受信部１５とを結ぶ全ての直線上に、電池３０または各端子３４，３６が介在するようになっている。また、電池３０の右側に配置されたセグメントドライバ５９ｂと通信受信部１５との間にも、電池３０が一部介在するようになっている。
【００３８】
（電子棚札への表示方法）
次に、上述した電子棚札表示制御システムにおける電子棚札５への商品情報の表示方法について説明する。
まず、電子棚札５の通信受信部１５は棚札表示制御装置１からの商品情報を、中継器４を介して無線通信により受信する。すると、制御ユニット１３は、棚札表示制御装置１から送信された商品情報に含まれるＩＤ情報が、電子棚札５自身が備えるＩＤ情報と一致するか否かを判断する。そして、商品情報のＩＤ情報と電子棚札５自身が有するＩＤ情報とが一致する場合、制御部１６は表示信号を生成し、この表示信号を表示制御部１９（コモンドライバ５８及びセグメントドライバ５９ａ，５９ｂ）に向けて出力する。
【００３９】
また、制御部１６は、表示部１２に表示するための必要な表示データをプログラムメモリ１７やデータメモリ１８からから読み出し、コモンドライバ５８及びセグメントドライバ５９ａ，５９ｂに向けて出力する。
これにより、コモンドライバ５８及びセグメントドライバ５９ａ，５９ｂから表示部１２に商品情報を含む信号が送信され、表示部１２に商品情報が表示されるようになっている。
【００４０】
ここで、各ドライバ５８，５９ａ，５９ｂや各種電子素子の動作に伴うノイズが通信受信部１５に作用して、通信受信部１５の受信時にＳ／Ｎ比が低下するという問題がある。この場合、通信受信部１５の通信周波数が低いほど、ノイズの影響を受けやすくなる。なお、本実施形態のようにメモリー液晶の駆動タイミングと通信受信部１５の受信タイミングが重ならないように表示部１２を駆動すれば、ノイズが通信受信部１５に作用するのを防止することは可能である。
しかしながら、使用形態によっては両タイミングが重なる場合がありうる。メモリー液晶は通常の液晶と比べて駆動電圧が高く電流も大きいため、ノイズが大きく受信に悪影響を及ぼす度合いが通常液晶と比べて大きい。
【００４１】
そこで、本実施形態では、通信受信部１５が制御基板５７の裏面５７ｂにおける右側の上部角部Ｒ２に配置される一方、コモンドライバ５８及びセグメントドライバ５９ａ，５９ｂが、右側の上部角部Ｒ２の対角（左側の下部角部Ｌ１）を挟む２辺上に配置されたＦＰＣ６０ａ〜６０ｃ上に配置される構成とした。
この構成によれば、制御基板５７の面内方向において、通信受信部１５とコモンドライバ５８とが制御基板５７の長辺を挟んで配置されることになり、通信受信部１５とコモンドライバ５８とを筐体２０内でできるだけ離れた位置に配置することができる。また、セグメントドライバ５９ａ，５９ｂが、筐体２０内における下部の長辺側に配置されているため、セグメントドライバ５９ａ，５９ｂを筐体２０内における上部の長辺や、右側の短辺に配置する構成に比べて、通信受信部１５からの距離を離した状態で配置することができる。すなわち、筐体２０内において、各ドライバ５８，５９ａ，５９ｂとが通信受信部１５からできるだけ離れた状態で配置されることになる。これにより、通信受信部１５が各ドライバ５８，５９ａ，５９ｂから発せられる電磁波の影響を受け難くなる。
したがって、従来のように通信受信部と各ドライバとの距離を確保するために、筐体を大型化したりする必要がないので、筐体２０のコンパクト化を図るとともに、表示部１２の大型化を図った上で、通信受信部１５に対するノイズの影響を抑制することができる。その結果、通信受信部１５のＳ／Ｎ比を維持して中継器４から送信される商品情報を高精度に受信することができる。
【００４２】
さらに、制御基板５７の中央部、すなわち通信受信部１５とコモンドライバ５８との間に電池３０及び各端子３４，３６が配置されているため、各ドライバ５８，５９ａ，５９ｂから発せられた電磁波は、通信受信部１５に到達する前段で導電性材料である電池３０または各端子３４，３６を通過することになる。この時、電池３０または各端子３４，３６が電磁シールドとして機能し、電池３０または各端子３４，３６の表面での反射と内部での反射及び吸収とによって、通信受信部１５に到達する前に電磁波を遮蔽することができる。
しかも本実施形態では、リアケース２２の底壁２３の上下方向と略同等の直径を有する比較的大型の電池３０を用いているため、セグメントドライバ５９ａと通信受信部１５、コモンドライバ５８と通信受信部１５とを結ぶ線上には、必ず電池３０が配置されることになる。その結果、セグメントドライバ５９ａ及びコモンドライバ５８から発せられる電磁波を電池３０や各端子３４，３６により遮蔽させ易くすることができ、より高いシールド効果を得ることができる。
【００４３】
また、制御ユニット１３の各種電子素子が、電池３０を間に挟んで通信受信部１５の反対側（左側）に集積されているため、通信受信部１５と各電子素子との間には、電池３０や各端子３４，３６が配置されることになる。これにより、電池３０または各端子３４，３６が電磁シールドとして機能し、電池３０または各端子３４，３６が各電子素子から発せられる電磁波を遮蔽して、高いシールド効果を得ることができる。
【００４４】
なお、本発明は上述の実施形態に限られるものではなく、本発明の趣旨を逸脱しない範囲において、上述の実施形態に種々の変更を加えたものを含む。
例えば、上述した実施形態では、セグメントドライバ５９ａ，５９ｂを２つ用いる場合について説明したが、セグメントドライバは１つのみでもよい。
また、上述した実施形態では、ＦＰＣ６０ａ〜６０ｃ上にコモンドライバ５８及びセグメントドライバ５９ａ，５９ｂを実装する構成について説明したが、制御基板５７上に直接実装してもよい。また、通信受信部１５も制御基板５７上に実装する必要はなく、ＦＰＣ等を介して制御基板５７に接続するようにしてもよい。
【００４５】
さらに、筐体の形状は、平面視矩形状であれば、左右方向に長い平面視長方形状のものに限らず、種々の形状が可能である。
また、上述した実施形態では、表示部１２にコレステリック液晶を用いる場合について説明したが、これに限らず、ネマティック液晶やスメクティック液晶等の通常液晶等、種々の液晶を用いることが可能である。表示部１２に通常液晶を用いた場合には、表示部１２の駆動タイミングと通信受信部１５の受信タイミングとが重なる場合が多くなるので、やはり本発明が有効である。
【図面の簡単な説明】
【００４６】
【図１】本発明の実施形態における電子棚札を有する棚札端末表示制御システムの構成を示す図である。
【図２】本発明の実施形態における電子棚札の構成を示すブロック図である。
【図３】本発明の実施形態における電子棚札の平面図（正面図）である。
【図４】本発明の実施形態における電子棚札の平面図（背面図）である。
【図５】本発明の実施形態における電子棚札の側面図である。
【図６】本発明の実施形態におけるフロントフレームを取り外した状態の電子棚札の平面図（正面図）である。
【図７】本発明の実施形態におけるフロントフレームの平面図（背面図）である。
【図８】本発明の実施形態におけるフレームの平面図である。
【図９】本発明の実施形態における制御基板を表面側から見た平面図である。
【図１０】本発明の実施形態における制御基板を裏面側から見た平面図である。
【図１１】本発明の実施形態における表示部、フレーム及び制御基板が重ね合わされた状態を示す側面図である。
【符号の説明】
【００４７】
１…棚札端末表示装置（外部端末）  ５…電子棚札  １１…電源部  １２…表示部  １３…制御ユニット  １５…通信受信部（通信部）  ２０…筐体  ３０…電池  ３４…−側端子  ３６…＋側端子  ５８…コモンドライバ（駆動用回路素子）  ５９ａ，５９ｂ…セグメントドライバ（駆動用回路素子）  Ｌ１…左側の下部角部（第２角部）  Ｒ２…右側の上部角部（第１角部）
【図１】
2010115230.tif 000003
【図２】
2010115230.tif 000004
【図３】
2010115230.tif 000005
【図４】
2010115230.tif 000006
【図５】
2010115230.tif 000007
【図６】
2010115230.tif 000008
【図７】
2010115230.tif 000009
【図８】
2010115230.tif 000010
【図９】
2010115230.tif 000011
【図１０】
2010115230.tif 000012
【図１１】
2010115230.tif 000013